Podtech/llm-jp-corpus-v4-ja_patent huggingface dataset:
【手続補正書】
【提出日】平成19年11月26日(2007.11.26)
【手続補正１】
【補正対象書類名】特許請求の範囲
【補正対象項目名】全文
【補正方法】変更
【補正の内容】
【特許請求の範囲】
【請求項１】
基体上に印刷を行うインクジェット印刷装置であって、
液滴を前記基体の表面に向けて噴射する複数のインクジェットプリントヘッドを含み、該プリントヘッドから液滴が噴射されるとき、前記プリントヘッドをしっかりと静止状態に保つようにするプリントヘッド装置と、
前記プリントヘッドから液滴を噴射している間、前記基体を前記複数のプリントヘッドを通過させて移動させるように構成されている複数のローラと、
圧力源と、
を有しており、
前記圧力源は、前記プリントヘッドの領域において前記基体に負のゲージ圧を作用させて前記基体を前記ローラに対して保持するように構成されている、
インクジェット印刷装置。
【請求項２】
別個の複数の前記基体の表面上に印刷を行うように構成されている、請求項１に記載の装置。
【請求項３】
前記基体を前記複数のプリントヘッドに対して相対的に移動させるように構成されている少なくとも３個のローラを有する、請求項１または２に記載の装置。
【請求項４】
ローラが、それに隣接するローラに対して、互いに隣接する該ローラ間の角度が平行に対して６ミリラジアンを超えないように、実質的に平行に取り付けられている、先行するいずれかの請求項に記載の装置。
【請求項５】
ローラが回転可能であり、互いに隣接する前記ローラの両周速が互いに１％以内の範囲になるように回転を制御するようになっている、先行するいずれかの請求項に記載の装置。
【請求項６】
前記負のゲージ圧は、互いに隣接するローラの間の領域で前記基体に作用させられる、先行するいずれかの請求項に記載の装置。
【請求項７】
前記基体に隣接する複数のローラの間に配置された部材をさらに含む、先行するいずれかの請求項に記載の装置。
【請求項８】
前記部材は複数の前記ローラの間の気流を制限するように構成されている、請求項７に記載の装置。
【請求項９】
前記部材は前記基体の、複数の前記ローラの間での変形を低減するように構成されている、請求項７または８に記載の装置。
【請求項１０】
前記基体の前縁を案内するガイドをさらに含む、先行するいずれかの請求項に記載の装置。
【請求項１１】
前記基体は実質的に堅い材料を有する、先行するいずれかの請求項に記載の装置。
【請求項１２】
印刷中に前記基体が、変形可能な表面上に載せられるように構成されている、先行するいずれかの請求項に記載の装置。
【請求項１３】
カラー画像を印刷するようになっている、先行するいずれかの請求項に記載の装置。
【請求項１４】
１２０ｄｐｉを超える解像度の画像を印刷するようになっている、先行するいずれかの請求項に記載の装置。
【請求項１５】
基体をインクジェットプリンタ内で複数のプリントヘッドを通過させて移動させる搬送装置であって、
前記基体上に液滴を噴射している間、前記基体を前記プリントヘッドを通過させて移動させるように構成されている複数のローラと、
圧力源と、
を有しており、
前記圧力源は、前記プリントヘッドの領域において前記基体に負のゲージ圧を作用させて前記基体を前記ローラに対して保持するように構成されている、
搬送装置。
【請求項１６】
複数のプリントヘッドと、複数のローラと、圧力源と、を有するインクジェットプリンタ内で基体に印刷を行う方法であって、
印刷中、前記基体を前記ローラ上で前記プリントヘッドに対して相対的に移動させるステップと、
前記プリントヘッドの領域において前記基体に対して負のゲージ圧を作用させて前記基体を前記ローラに対して保持するステップと、
を有しており、
前記プリントヘッドは、前記基体に向かって液滴を噴射している間、しっかりと静止している、
方法。
【請求項１７】
請求項１から１５のいずれかに記載のプリンタを使用し、および／または請求項１６に記載の方法を用いて印刷された基体。
【手続補正書】
【提出日】平成19年11月30日(2007.11.30)
【手続補正１】
【補正対象書類名】特許請求の範囲
【補正対象項目名】全文
【補正方法】変更
【補正の内容】
【特許請求の範囲】
【請求項１】
（i）溶融ポリオレフィンの結合層を吸水性層に適用する処理と、
（ii）（i）の生成物を状況に応じて圧力に晒す処理と、
（iii）ポリオレフィンの外側層を前記結合層に適用する処理と、
（iv）（iii）の生成物を圧力に晒す処理と、
（v）これらの処理のされた材料を冷却させる処理と、
を有し、
前記ポリオレフィンの結合層を部分的に前記吸水性層に含浸する、包装材料の製造方法。
【請求項２】
前記外側層及び／又は前記結合層には、押出処理が適用され、
前記圧力は、前記外側層及び前記結合層を貫通するニップポイントを介して印加され、
前記外側層及び前記結合層は、前記ニップポイントで、又はその近傍で、固体を形成する、請求項１に記載の包装材料の製造方法。
【請求項３】
前記圧力は、約４００ｋＰａから約８００ｋＰａである、請求項１又は請求項２に記載の包装材料の製造方法。
【請求項４】
水蒸気透過性内側層を前記吸水性層に接着する処理をさらに有し、
前記水蒸気透過性内側層は、前記吸水性層中の液体水に実質的に不透性である、請求項１から請求項３のいずれか一項に記載の包装材料の製造方法。
【請求項５】
（i）液体水及び水蒸気不透性の外側層、
（ii）吸水性層、
（iii）前記外側層と前記吸水性層とを接着する結合層、
（iv）前記吸水性層中の液体水に対して実質的に不透性の水蒸気透過性内側層、
を備え、前記結合層は、吸水性層を部分的に浸透させる、包装材料。
【請求項６】
前記水蒸気透過性層は、前記吸水性層に接着している、請求項５に記載の包装材料。
【請求項７】
前記外側層は、石油化学又は植物性の有機カーボンを含む、請求項５又は請求項６に記載の包装材料。
【請求項８】
前記外側層及び／又は前記結合層は、ポリエチレン、ポリ塩化ビニル、ポリプロピレン、及び、これらの混合物である、請求項５から請求項７のいずれか一項に記載の、又は請求項１から請求項４のいずれか一項に記載の製造方法によって製造される、包装材料。
【請求項９】
前記外側層及び前記結合層は、同一の組成である、請求項５から請求項８のいずれか一項に記載の、又は請求項１から請求項４のいずれか一項に記載の製造方法によって製造される、包装材料。
【請求項１０】
前記結合層は、約５ミクロンから約１０ミクロンの厚さである、請求項５から請求項９のいずれか一項に記載の、又は請求項１から請求項４のいずれか一項に記載の製造方法によって製造される、包装材料。
【請求項１１】
前記外側層は、約１５ミクロンから約３０ミクロンの厚さである、請求項５から請求項１０のいずれか一項に記載の、又は請求項１から請求項４のいずれか一項に記載の製造方法によって製造される、包装材料。
【請求項１２】
前記吸水性層は、少なくとも単位平方メートル当たり５０ｇ以上の水を吸収可能である、請求項５から請求項１１のいずれか一項に記載の、又は請求項１から請求項４のいずれか一項に記載の製造方法によって製造される、包装材料。
【請求項１３】
前記吸水性層は、約６０ミクロンから約９５ミクロンの厚さを有している、請求項５から請求項１２のいずれか一項に記載の、又は請求項１から請求項４のいずれか一項に記載の製造方法によって製造される、包装材料。
【請求項１４】
前記内側層は、疎水性ポリオレフィンを備える、請求項５から請求項１３のいずれか一項に記載の、又は請求項１から請求項４のいずれか一項に記載の製造方法によって製造される、包装材料。
【請求項１５】
前記疎水性ポリオレフィンは、スパンボンドのポリプロピレンである、請求項１４に記載の包装材料。
【請求項１６】
前記内側層は、その表面領域の５％未満の領域で、前記吸水性層と接着している、請求項５から請求項１５のいずれか一項に記載の、又は請求項４に記載の製造方法によって製造される、包装材料。
【請求項１７】
機械的強度を提供して、前記外側層に接触する、支持層をさらに備えている、請求項５から請求項１６のいずれか一項に記載の、又は請求項１から請求項４のいずれか一項に記載の製造方法によって製造される、包装材料。
【請求項１８】
生鮮製品を貯蔵及び／又は輸送する方法であって、
請求項５から請求項１７のいずれか一項に記載の、又は請求項１から請求項４のいずれか一項に記載の製造方法によって製造される、包装材料中に前記製品を挿入する処理、又は、前記包装材料で前記製品を実質的に包装する処理、を備える、方法。
【誤訳訂正書】
【提出日】平成19年11月26日(2007.11.26)
【誤訳訂正１】
【訂正対象書類名】特許請求の範囲
【訂正対象項目名】請求項２
【訂正方法】変更
【訂正の内容】
【請求項２】
請求項１の漢方薬剤であって、各原料薬剤の用量をそれぞれ１重量部とすることを特徴とする薬剤。
【誤訳訂正２】
【訂正対象書類名】特許請求の範囲
【訂正対象項目名】請求項３
【訂正方法】変更
【訂正の内容】
【請求項３】
請求項１の漢方薬剤の調製方法であり、
１）        各原料薬剤を計量し、中程度の粉末に粉砕し、
２）        原料薬剤の1:2.5〜1:3.5の重量体積比で62％エチルアルコールを加えて充分浸漬し、
３）        充分加熱還流し、
４）        濾過し、得られた濾液を活性成分溶液とする
工程を含む方法。
【誤訳訂正３】
【訂正対象書類名】明細書
【訂正対象項目名】００５３
【訂正方法】変更
【訂正の内容】
【００５３】
三  試験の主要工程
１  腫瘍細胞を細胞培養瓶中に、各瓶当り１３万単位で、接種する。
【誤訳訂正４】
【訂正対象書類名】明細書
【訂正対象項目名】００５６
【訂正方法】変更
【訂正の内容】
【００５６】
４  規定時間内に各グループの細胞数を計算する。
【手続補正書】
【提出日】平成19年11月22日(2007.11.22)
【手続補正１】
【補正対象書類名】特許請求の範囲
【補正対象項目名】全文
【補正方法】変更
【補正の内容】
【特許請求の範囲】
【請求項１】
ｓ個の入力シンボルを含むデータをｔ個の出力シンボルに符号化する方法であって、ｓは１より大きい整数であり、ｔは１より大きい整数であり、
前記ｓ個の入力シンボルのそれぞれを同一サイズのｍ個のサブシンボルに分割するステップと、
ｔ行ｓ列の基礎行列を取得するステップであって、前記基礎行列の項目は、有限体ＧＦ（２ｍ）の要素であり、前記基礎行列は、リードソロモン基礎行列以外を形成する、ステップと、
前記基礎行列の項目ごとに有限体の正則表現をＧＦ（２）モジュールとして置換し、これによってｔ＊ｍ行ｓ＊ｍ列の２進行列を生成することによって、前記基礎行列から拡大２進行列を生成するステップと、
ｔ＊ｍ個の出力サブシンボルを形成するために前記ｓ＊ｍ個の入力サブシンボルに対して前記拡大２進行列を作用させるステップと、
ｍ個の出力サブシンボルのグループを出力シンボルにグループ化しｔ個の出力シンボルを形成するステップであって、該ｔ個の出力シンボルは受信機が前記ｔ個の出力シンボルの一部または全部から前記ｓ個の入力シンボルを再生成するように通信チャネルを介して転送され、該通信チャネルにおけるロスの単位は１出力シンボル以上である、ステップと、
を含むことを特徴とする方法。
【請求項２】
前記通信チャネルを介して前記ｔ個の出力シンボルを転送するステップをさらに含むことを特徴とする請求項１に記載の方法。
【請求項３】
前記ｓ個の入力シンボルのための可能な出力シンボルの個数は、前記ｓ個の入力シンボルを再生成するのに必要な出力シンボルの個数と独立であることを特徴とする請求項１に記載の方法。
【請求項４】
少なくとも１つの出力サブシンボルは、２以上の入力サブシンボル、かつ、前記ｓ＊ｍ個の入力サブシンボルの全部より少ない入力サブシンボル、かつ、少なくとも１つの入力シンボル内のｍ個のサブシンボルの全部より少ないサブシンボルから生成されることを特徴とする請求項１に記載の方法。
【請求項５】
前記基礎行列は、ランダム符号を表すことを特徴とする請求項１に記載の方法。
【請求項６】
前記基礎行列は、素体上における少なくとも次数２の拡大体である有限体上の連鎖反応符号を表すことを特徴とする請求項１に記載の方法。
【請求項７】
前記連鎖反応符号は、ランダム符号であることを特徴とする請求項６に記載の方法。
【請求項８】
前記基礎行列は、０より大きいジーナスの曲線に基づく代数幾何符号を表すことを特徴とする請求項１に記載の方法。
【手続補正書】
【提出日】平成19年11月20日(2007.11.20)
【手続補正１】
【補正対象書類名】特許請求の範囲
【補正対象項目名】全文
【補正方法】変更
【補正の内容】
【特許請求の範囲】
【請求項１】
少なくとも１つの放熱エレメントからの熱を受けるのに適合した第１受熱部（６）と、加熱および蒸発により熱を吸収する冷却流体（４）を備えた冷却システムにおいて、
そのシステムが密閉されており、さらに、冷却流体を筒形状部内で気泡と実質的に同じ速度で移動させる気泡の原動力によりシステム内で流体の流れを生成する筒形状部を有するバブルポンプ（１）を備え、
筒形状部は第１受熱部（６）の下流に配置されており、
液体状の冷却流体から熱を周囲に放射するラジエータ（２，９）および、蒸発した冷却流体（３）を凝縮し凝縮による熱を放射するコンデンサ（２，１０）の方に向けて冷却流体を移動させることを特徴とする、
少なくとも１つの放熱エレメントを冷却するための冷却システム（１００，１１０，１２０，１３０，１４０，１５０）。
【請求項２】
バブルポンプは出口（５）を有し、出口（５）は冷却システムの稼働中にシステムの液体レベルよりも上に配置される、請求項１に記載の冷却システム。
【請求項３】
放熱エレメントに適応するための、第２受熱部（７）をさらに備える、請求項１または２に記載の冷却システム。
【請求項４】
複数のバブルポンプ（１ａ，１ｂ）をさらに備える、請求項１〜３のいずれか１つに記載の冷却システム。
【請求項５】
少なくともバブルポンプのいくつかが直列に接続されている、請求項３に記載の冷却システム。
【請求項６】
少なくともバブルポンプのいくつかが並列に接続されている、請求項４または５に記載の冷却システム。
【請求項７】
冷却流体（４）が少なくとも２つの異なる沸点の流体で構成されている、請求項１〜６のいずれか１つに記載の冷却システム。
【請求項８】
冷却流体（４）の第１流体がエタノール、メタノール、アセトン、エーテルおよびプロパンのグループから選択される、請求項１〜７のいずれか１つに記載の冷却システム。
【請求項９】
冷却流体（４）の第２流体が水である、請求項１〜８のいずれか１つに記載の冷却システム。
【請求項１０】
冷却システムの圧力が所望の圧力に調整される、請求項１〜９のいずれか１つに記載の冷却システム。
【請求項１１】
流体の最も低い沸点温度が、少なくとも１つの放熱エレメントの所望の稼動温度と実質的に等しくなるように圧力が調整される、請求項１０に記載の冷却システム。
【請求項１２】
冷却システム内の圧力が大気圧よりも低い、請求項１０または１１に記載の冷却システム。
【請求項１３】
放熱エレメントが受熱部（６，７）に統合され、冷却システム内の冷却流体（４）と直接に接触する、請求項１〜１２のいずれか１つに記載の冷却システム。
【請求項１４】
受熱部が複数の分離した液体室で構成される、請求項１〜１３のいずれか１つに記載の冷却システム。
【請求項１５】
請求項１〜１４のいずれか１つに記載の冷却システムを備え、稼働中に冷却される１つまたはそれ以上の部品を有する電子装置。
【請求項１６】
電子部品を冷却するための、請求項１〜１４のいずれか１つに記載の冷却システムの使用方法。
【手続補正書】
【提出日】平成19年11月30日(2007.11.30)
【手続補正１】
【補正対象書類名】明細書
【補正対象項目名】００２３
【補正方法】変更
【補正の内容】
【００２３】
重要なことに、出願人はＩＣＥ阻害が標準的なＡＴＣＣ研究株（１９６６０）に対してのみならず、臨床分離株（ＫＥＩ−１０２５）に対しても有効であることを示した。さらに、ＩＣＥ阻害が親１９６６０株に由来のシプロフロキサシン耐性株に対して有効であることを発見した。臨床スコアは、シプロフロキサシン耐性P. aeruginosa株で感染後のＩＣＥ阻害剤処置角膜において顕著に減少した。
【手続補正２】
【補正対象書類名】明細書
【補正対象項目名】００２４
【補正方法】変更
【補正の内容】
【００２４】
様々な研究（Chaudhry et al., 1999; Garg et al., 1999; Kowalski et al., 2001; Kunimoto et al., 1999）がインビトロでの抗生物質耐性と角膜炎患者における抗生物質に対する臨床的不応答との関係を示した。Ｇａｒｇら（１９９９）は、Pseudomonas角膜炎の１４１の培養確認済み(culture-proven)症例の、２２症例がシプロフロキサシンに耐性の単離株によって引き起こされた（平均ＭＩＣ４３ｍｇ／ｍｌ）と報告した。シプロフロキサシンで最初に処置された１９症例(２２症例中)の、１５症例（７６．７％）が、集中治療の３日後に悪化したか、または臨床的改善が見られず、そして抗生物質治療の改変、角膜移植または摘出が必要であった。不利な結果に至るPseudomonasの抗生物質耐性の増加した発生率と、抗細菌治療への不応答は、新規な治療戦略の探求への強力な理由を提供する。ＩＣＥ阻害剤は抗生物質耐性Pseudomonas角膜炎症例への新規な治療戦略であり得る。したがって、本発明は、とりわけ抗生物質耐性株によって引き起こされる微生物性角膜炎の症例において、細菌増殖を制御する方法を提供する。
【手続補正３】
【補正対象書類名】明細書
【補正対象項目名】００２８
【補正方法】変更
【補正の内容】
【００２８】
本発明は、眼の表面組織の炎症または発赤の処置にとりわけ有用である。炎症と関連する眼障害には、例えば、結膜炎（細菌性結膜炎、真菌性結膜炎またはウイルス性結膜炎）、ブドウ膜炎、角膜裏面沈着物、黄斑浮腫、内眼レンズ移植後の炎症反応および外科手術または眼傷害によって引き起こされた損傷が含まれる。他の態様において本発明は、これらの障害の改善、処置または予防方法を提供する。
【手続補正４】
【補正対象書類名】明細書
【補正対象項目名】００３０
【補正方法】変更
【補正の内容】
【００３０】
化合物は、対象、例えば動物、好ましくは哺乳類、より好ましくはヒトにおいて、感染性疾患状態を含む疾患および障害を処置するために使用することができる。本発明の方法は動物園用、実験用および家畜用動物を含む動物用施設において使用することができる。したがって、対象には動物、例えば霊長類、げっ歯類、および鳥類（限定されないが、モルモット、ハムスター、スナネズミ、ラット、マウス、ウサギ、イヌ、ネコ、ウマ、ブタ、ヒツジ、ウシ、ヤギ、アカゲザル、サル、タマリンド、サル、ヒヒ、ゴリラ、チンパンジー、オラウータン、テナガザル、ニワトリ、シチメンチョウ、アヒル、ガチョウ、シカ、およびダチョウを含む）が含まれる。
【手続補正５】
【補正対象書類名】明細書
【補正対象項目名】００３３
【補正方法】変更
【補正の内容】
【００３３】
本発明に使用する化合物はまた、選択的生物学的特性を上昇させるために、好適な官能基を付加することによって修飾することができる。かかる修飾は当業者に既知であり、所望の生物学的系（例えば血管、リンパ管系、または中枢神経系）への生物学的浸透を上昇させる、経口利用能を上昇させる、注射による投与を可能とするため溶解性を上昇させる、代謝を変化させる、および／または排泄速度を変化させるものが含まれる。
【手続補正６】
【補正対象書類名】明細書
【補正対象項目名】００４４
【補正方法】変更
【補正の内容】
【００４４】
本発明の薬学的に許容される塩をこれらの組成物において使用するとき、これらの塩は好ましくは無機または有機酸、または塩基に由来する。このような酸塩には、とりわけ下記が含まれる：酢酸塩、アジピン酸塩、アルギン酸塩、アスパラギン酸塩、安息香酸塩、ベンゼンスルホン酸塩、重硫酸塩、ブチル酸塩、クエン酸塩、ショウノウ酸塩、カンファースルホン酸塩、シクロペンタンプロピオン酸塩、ジグルコン酸塩、ドデシル硫酸塩、エタンスルホン酸塩、フマル酸塩、グルコヘプタン酸塩、グリセロリン酸塩、ヘミ硫酸塩、ヘプタン酸塩、ヘキサン酸塩、塩酸塩、臭化水素酸塩、ヨウ化水素酸塩、２−ヒドロキシエタンスルホン酸塩、乳酸塩、マレイン酸塩、メタンスルホン酸塩、２−ナフタレンスルホン酸塩、ニコチン酸塩、シュウ酸塩、パモ酸塩、ペクチン酸塩、過硫酸塩、３−フェニルプロピオン酸塩、ピクリン酸塩、ピバル酸塩、プロピオン酸塩、コハク酸塩、酒石酸塩、チオシアン酸塩、トシル酸塩およびウンデカン酸塩。塩基性塩には、アンモニウム塩、ナトリウム塩およびカリウム塩のようなアルカリ金属塩、カルシウム塩およびマグネシウム塩のようなアルカリ土類金属塩、ジシクロヘキシルアミン塩、Ｎ−メチル−Ｄ−グルカミンのような有機塩基との塩、およびアルギニン、リシンのようなアミノ酸との塩等が含まれる。
【手続補正書】
【提出日】平成19年12月3日(2007.12.3)
【手続補正１】
【補正対象書類名】特許請求の範囲
【補正対象項目名】全文
【補正方法】変更
【補正の内容】
【特許請求の範囲】
【請求項１】
一般式MaXb（ここで、Mは金属を示し、Xはカルコゲンを示し、aおよびbは、それぞれ、金属およびカルコゲンの比率を示す）のラメラ結晶構造を有する金属カルコゲナイドの閉構造を有するナノ粒子の合成に適用され、溶媒に溶解させられた、金属（M）およびカルコゲン（X）の少なくとも１種の前駆体の溶液、または、金属（M）の少なくとも１種の前駆体およびカルコゲン（X）の少なくとも１種の前駆体の溶液から得られる液体エアロゾルの熱分解を包含し、該溶液は、キャリアガス中に懸濁した微細な液滴に霧化されることを特徴とする噴霧熱分解法。
【請求項２】
・溶媒中の金属およびカルコゲンの少なくとも１種の前駆体の溶液または少なくとも１種の金属前駆体および少なくとも１種のカルコゲン前駆体の溶液の形成工程と、
・キャリアガスが流れる中での、ネブライザー、特に圧縮空気または超音波タイプのものによる溶液の液体エアロゾル体への霧化工程と、
・溶媒を蒸発させ、金属およびカルコゲンの前駆体（単数または複数）を反応および／または分解させてナノ粒子を形成させるための、エアロゾルの加熱された炉への注入工程と、
・キャリアガスによるナノ粒子の炉の出口への輸送工程と、
・炉の出口でのナノ粒子の回収工程と
を包含することを特徴とする請求項１に記載の方法。
【請求項３】
金属およびカルコゲンの前駆体は、金属およびカルコゲンの両方を含有することを特徴とする請求項１または２に記載の方法。
【請求項４】
前駆体は、式(A)cM(X)d（ここで、Aは、K+、Na+、NH4+等のカチオンであり、Mは金属であり、Xはカルコゲンであり、cおよびdは、それぞれ、カチオンおよびカルコゲンの数を示す）のものであることを特徴とする請求項３に記載の方法。
【請求項５】
前記金属は、Ti、Zr、Hf、V、Nb、Ta、Mo、W、Re、Co、Ni、Pt、Pd、CrおよびRuの中のから選択される遷移金属であることを特徴とする請求項１〜４のいずれか１つに記載の方法。
【請求項６】
前記金属は、元素周期律表第III族（例えばGa、In）に属することを特徴とする請求項１〜４のいずれか１つに記載の方法。
【請求項７】
前記金属は、元素周期律表第IV族からの金属、特にSn、PbまたはGeであることを特徴とする請求項１〜４のいずれか１つに記載の方法。
【請求項８】
前記金属は、元素周期律表第V族からの金属、例えばBiであることを特徴とする請求項１〜４のいずれか１つに記載の方法。
【請求項９】
カルコゲンは、酸素、硫黄、セレンおよびテルルの中から選択されることを特徴とする請求項１〜８のいずれか１つに記載の方法。
【請求項１０】
前記前駆体は、テトラチオメタレートまたはテトラセレノメタレートであることを特徴とする請求項４または９に記載の方法。
【請求項１１】
金属は、モリブデンまたはタングステンであることを特徴とする請求項１０に記載の方法。
【請求項１２】
キャリアガスは、窒素およびアルゴンから選択される不活性ガスおよび／または水素であることを特徴とする請求項１〜１１のいずれか１つに記載の方法。
【請求項１３】
前記溶媒は、極性溶媒、特に、水および／またはエタノールであることを特徴とする請求項１〜１２のいずれか１つに記載の方法。
【請求項１４】
前記ナノ粒子は、ナノチューブ、フラーレンおよび／またはナノボックスであることを特徴とする請求項１〜１３のいずれか１つに記載の方法。
【請求項１５】
閉じた、一般的には中空の正平行六面体および長方形から作り上げられるナノボックスの形態を有することを特徴とする金属カルコゲナイドＭＸ２のナノ粒子。
【手続補正２】
【補正対象書類名】明細書
【補正対象項目名】００３１
【補正方法】変更
【補正の内容】
【００３１】
したがって、本発明は、ラメラ結晶構造を有する金属カルコゲナイドの閉構造を有するナノ粒子の合成に適用され、溶媒中に溶解させられた、金属（M）およびカルコゲン（X）の少なくとも１種の前駆体の溶液、または、少なくとも１種の前記金属（M）の前駆体および少なくとも１種の前記カルコゲン（X）の前駆体の溶液から得られる液体エアロゾルの熱分解を包含し、該溶液は、キャリアガス中に懸濁した微細な液滴に霧化されることを特徴とする噴霧熱分解法に関する。
【手続補正３】
【補正対象書類名】明細書
【補正対象項目名】００３２
【補正方法】変更
【補正の内容】
【００３２】
より詳細には、本発明は、前記ナノ粒子の合成における熱分解法であって、
・溶媒中の、前記金属およびカルコゲンの少なくとも１種の前駆体の溶液、または少なくとも１種の前記金属前駆体および少なくとも１種の前記カルコゲン前駆体の溶液の形成工程と、
・キャリアガスが流れる中での、ネブライザー、特に圧縮空気または超音波タイプのものによる前記溶液の液体エアロゾル体への霧化工程と、
・溶媒を蒸発させおよび前記金属およびカルコゲンの前駆体（単数または複数）を反応および／または分解させてナノ粒子を形成するための、エアロゾルの加熱された炉への注入工程と、
・キャリアガスによるナノ粒子の炉出口への輸送工程と、
・炉出口でのナノ粒子の回収工程と
を包含する方法の使用に関する。
【手続補正書】
【提出日】平成19年12月3日(2007.12.3)
【手続補正１】
【補正対象書類名】特許請求の範囲
【補正対象項目名】全文
【補正方法】変更
【補正の内容】
【特許請求の範囲】
【請求項１】
開口端（３６）、前記開口端に隣接した第１部分及び前記第１部分に設けられた少なくとも１つの雄ねじ（３４）をもった円筒形口部（２８）を有する容器（２４）と、ベース壁（５６）、前記ベース壁に隣接して第１部分と前記口部の前記少なくとも１つの雄ねじと噛み合うための少なくとも１つの雌ねじ（６４）とを有するスカート（６０）、及び前記少なくとも１つのばね要素（５８又は１０６又は１１０）を有するクロージャ（２２）と、を含み、前記少なくとも１つのばね要素は前記口部の前記開口端と作動的に関連して前記クロージャを前記口部の軸線方向に付勢する子供いたずら防止パッケージにおいて、
前記容器口部は、前記開口端から間隔を隔てた第２部分、及び前記少なくとも１つの雄ねじから分離し、前記雄ねじから軸線方向に間隔を隔てており、且つ前記口部から半径方向外方に突出した少なくとも１つのストップ用出張り（３２）を有し、
前記クロージャのスカートは、前記ベース壁から遠方の第２部分と前記第２部分から半径方向内方に延びかつ前記雌ねじから軸線方向に間隔を隔てた少なくとも１対の内部出張り（７６、７８）とを有し、
前記スカートの前記少なくとも一対の出張りは、第１出張り（７６）及び前記第１出張りから円周方向に間隔を隔てた第２出張り（７８）を含み、前記第１出張りは、前記容器口部のストップ用出張りと協同してスカートの第１出張りを容器口部の対応するストップ用出張りの下に押す圧力が、ばね要素に抗して、クロージャに加えられなければ、口部からのクロージャのねじ外しを防止し、前記第２出張りは、前記容器口部の前記少なくとも１つのストップ用出張りと協同して前記口部へのクロージャの更なるねじ込みを防止する、ことを特徴とする子供いたずら防止パッケージ。
【請求項２】
軸線、開口端（３０）、及び前記開口端に隣接して前記口部の第１部分に設けられた少なくとも１つの雄ねじ（３４）を有する円筒形口部（２８）含む、子供いたずら防止用容器において、
前記口部は、前記開口端から間隔を隔てた第２部分と、前記少なくとも１つの雄ねじから分離し、前記雄ねじから軸線方向に間隔を隔てており、且つ前記口部から半径方向外方に突出した少なくとも１つのストップ用出張り（３２）を有し、前記ストップ用出張りは、カム面（５０）及び第カム面から時計回りに間隔を隔て、前記カム面の少なくとも一部分よりも前記開口端により近く配置された半径方向外方に延びたフランジ（４４）を有する、子供いたずら防止用容器。
【請求項３】
ベース壁（５６）と、容器口部の少なくとも１つの雄ねじ（３４）と噛み合うようなった少なくとも１つの雌ねじ（６４）を備えた、前記ベース壁に隣接した第１部分を有するスカート（６０）と、前記ベース壁及びスカートの一方によって担持された少なくとも１つのばね要素（５８又は１０６又は１１０）と、を含む子供いたずら防止用クロージャにおいて、
前記クロージャのスカートは、前記ベース壁から遠方の第２部分を有し、該第２部分は、この第２部分から半径方向内方に延び且つ前記雌ねじから軸線方向に間隔を隔てた少なくとも１対の内部出張り（７６、７８）を有し、
前記スカートの前記少なくとも１対の出張りは、第１出張り（７６）及び前記第１出張りから円周方向に間隔を隔てた第２出張り（７８）を含み、前記第１出張りは、前記容器口部のストップ用出張りと協同してスカートの第１出張りを容器口部の対応するストップ用出張りの下に押す力が、ばね要素に抗して、クロージャに加えられなければ、口部からのクロージャのねじ外しを防止し、前記第２出張りは、前記容器口部の前記少なくとも１つのストップ用出張りと協同して前記口部へのクロージャの更なるねじ込みを制限する、子供いたずら防止パッケージ用クロージャ。
【手続補正書】
【提出日】平成19年11月12日(2007.11.12)
【手続補正１】
【補正対象書類名】特許請求の範囲
【補正対象項目名】全文
【補正方法】変更
【補正の内容】
【特許請求の範囲】
【請求項１】
プリオン関連疾患を除く、ミスフォールディング及び／又は凝集タンパク質の蓄積が存在する神経変性障害又は疾患を治療するための薬剤組成物であって、薬学的に許容できる担体、並びにｉ）コポリマー１、（ｉｉ）コポリマー１関連ペプチド、（ｉｉｉ）コポリマー１関連ポリペプチド及び（ｉｖ）（ｉ）、（ｉｉ）又は（ｉｉｉ）で活性化されたＴ細胞から選択される活性薬剤を含有する薬剤組成物。
【請求項２】
前記神経変性障害又は疾患に罹患している患者において、疾患進行を低減し、且つ／又は神経変性から保護し、且つ／又はグルタミン酸毒性から保護するための、請求項１に記載の薬剤組成物。
【請求項３】
前記神経変性疾患又は障害は、ハンチントン病、アルツハイマー病又はパーキンソン病である、請求項１又は２に記載の薬剤組成物。
【請求項４】
前記活性薬剤は、コポリマー１である、請求項３に記載の薬剤組成物。
【請求項５】
プリオン関連疾患を除く、ミスフォールディング及び／又は凝集タンパク質の蓄積が存在する神経変性障害又は疾患を治療するための医薬品を製造するための、ｉ）コポリマー１、（ｉｉ）コポリマー１関連ペプチド、（ｉｉｉ）コポリマー１関連ポリペプチド及び（ｉｖ）（ｉ）、（ｉｉ）又は（ｉｉｉ）で活性化されたＴ細胞から選択される活性薬剤の使用。
【請求項６】
前記神経変性疾患又は障害は、ハンチントン病、アルツハイマー病及びパーキンソン病である、請求項５に記載の使用。
【請求項７】
前記活性薬剤は、コポリマー１である、請求項６に記載の使用。
【手続補正書】
【提出日】平成19年11月27日(2007.11.27)
【手続補正１】
【補正対象書類名】特許請求の範囲
【補正対象項目名】全文
【補正方法】変更
【補正の内容】
【特許請求の範囲】
【請求項１】
連続的使用のためのタキソール、その誘導体、およびアロマターゼ阻害剤およびＴＮＦ関連アポトーシス誘発性リガンド(ＴＲＡＩＬ)から成る群から選択される化学療法剤；およびビスホスホネートを含む、悪性物の処置用医薬製剤。
【請求項２】
ビスホスホネートがＮ−ビスホスホネートである、請求項１記載の医薬製剤。
【請求項３】
ビスホスホネートが式Ｉ
【化１】
2007513118.tif 000001
〔式中、
Ｘは水素、ヒドロキシル、アミノ、アルカノイル、またはＣ１−Ｃ４アルキルもしくはアルカノイルで置換されたアミノ基であり；
Ｒは水素またはＣ１−Ｃ４アルキルであり、そして
Ｒｘは所望により置換されていてよいアミノ基を含む側鎖、または窒素含有ヘテロ環(芳香族性窒素含有ヘテロ環を含む)である。〕
の化合物、または薬学的に許容されるその塩もしくはその任意の水和物である、請求項１記載の医薬製剤。
【請求項４】
ビスホスホネートが２−(イミダゾル−１−イル)−１−ヒドロキシエタン−１,１−ジホスホン酸(ゾレドロン酸)またはその薬理学的に許容される塩である、請求項１記載の製剤。
【請求項５】
化学療法剤がパクリタキセルまたはレトロゾールである、請求項１記載の医薬製剤。
【請求項６】
化学療法剤がＴＮＦ関連アポトーシス誘発性リガンドである、請求項１記載の医薬製剤。
【請求項７】
タキソールまたはその誘導体またはレトロゾールから選択される化学療法剤；およびビスホスホネートをこの順番で使用するために含む、悪性疾患の処置用医薬製剤。
【請求項８】
ビスホスホネートがＮ−ビスホスホネートである、請求項７記載の医薬製剤。
【請求項９】
ビスホスホネートが式Ｉ
【化２】
2007513118.tif 000002
〔式中、
Ｘは水素、ヒドロキシル、アミノ、アルカノイル、またはＣ１−Ｃ４アルキルもしくはアルカノイルで置換されていてよいアミノ基であり；
Ｒは水素またはＣ１−Ｃ４アルキルであり、そして
Ｒｘは所望により置換されていてよいアミノ基を含む側鎖、または窒素含有ヘテロ環(芳香族性窒素含有ヘテロ環を含む)である。〕
の化合物、または薬学的に許容されるその塩もしくはその任意の水和物である、請求項７記載の医薬製剤。
【請求項１０】
ビスホスホネートが２−(イミダゾル−１−イル)−１−ヒドロキシエタン−１,１−ジホスホン酸(ゾレドロン酸)またはその薬理学的に許容される塩である、請求項７記載の医薬製剤。
【請求項１１】
化学療法剤がパクリタキセルである、請求項７記載の医薬製剤。
【請求項１２】
化学療法剤がレトロゾールである、請求項７記載の医薬製剤。
【請求項１３】
ビスホスホネートおよびＴＮＦ関連アポトーシス誘発性リガンドをこの順番で使用するために含む、悪性疾患の処置用医薬製剤。
【請求項１４】
ビスホスホネートが２−(イミダゾル−１−イル)−１−ヒドロキシエタン−１,１−ジホスホン酸(ゾレドロン酸)またはその薬理学的に許容される塩である、請求項１３記載の医薬製剤。
【請求項１５】
癌細胞増殖の阻害または癌細胞アポトーシスの誘発のための、タキソール、その誘導体、アロマターゼ阻害剤およびＴＲＡＩＬから成る群から選択される化学療法剤；およびビスホスホネートの連続的使用。
【請求項１６】
化学療法剤がパクリタキセルであり、かつビスホスホネートの前に送達する、請求項１５記載の使用。
【請求項１７】
化学療法剤がレトロゾールであり、かつビスホスホネートの前に送達する、請求項１５記載の使用。
【請求項１８】
化学療法剤がＴＲＡＩＬであり、かつビスホスホネートの後で連続的に送達される、請求項１５記載の使用。
【請求項１９】
タキソール、その誘導体、レトロゾールおよびＴＲＡＩＬから成る群から選択される化学療法剤を既に受けている患者における悪性物を処置するための医薬の製造における、ビスホスホネートの使用。
【請求項２０】
ビスホスホネートを既に受けている患者における悪性物の処置用医薬の製造のための、タキソール、その誘導体、レトロゾールおよびＴＲＡＩＬから成る群から選択される化学療法剤の使用。
【請求項２１】
化学療法剤がタキソール、その誘導体およびレトロゾールから成る群から選択され；かつビスホスホネートを化学療法剤の後に連続的に投与するものである、請求項１９または２０記載の使用。
【請求項２２】
化学療法剤がＴＲＡＩＬであり、かつＴＲＡＩＬをビスホスホネートの後に連続的に投与するものである、請求項１９または２０に記載の使用。
【請求項２３】
ビスホスホネートがＮ−ビスホスホネートである、請求項１５から２２のいずれかに記載の使用。
【請求項２４】
ビスホスホネートが式Ｉ
【化３】
2007513118.tif 000003
〔式中、
Ｘは水素、ヒドロキシル、アミノ、アルカノイル、またはＣ１−Ｃ４アルキルもしくはアルカノイルで置換されたアミノ基であり；
Ｒは水素またはＣ１−Ｃ４アルキルであり、そして
Ｒｘは所望により置換されていてよいアミノ基を含む側鎖、または窒素含有ヘテロ環(芳香族性窒素含有ヘテロ環を含む)である。〕
の化合物、または薬学的に許容されるその塩もしくはその任意の水和物である、請求項１５から２２のいずれかに記載の使用。
【請求項２５】
ビスホスホネートが２−(イミダゾル−１−イル)−１−ヒドロキシエタン−１,１−ジホスホン酸(ゾレドロン酸)またはその薬理学的に許容される塩である、請求項１５から２２のいずれかに記載の使用。
【請求項２６】
単位投与形態のビスホスホネートまたは薬学的に許容されるその塩、もしくはその任意の水和物、および単位投与形態のタキソール、その誘導体、アロマターゼ阻害剤およびＴＲＡＩＬから成る群から選択される化学療法剤を；悪性疾患の処置のための該化学療法剤と該ビスホスホネートの連続的単位用量投与のための指示書と共に含む、商業的包装物。
【手続補正２】
【補正対象書類名】明細書
【補正対象項目名】００５１
【補正方法】変更
【補正の内容】
【００５１】
実験２：２ｎＭ  ＰＡＣ(１日目に４時間)、続いて１μＭ  ＺＯＬ(２日目に１時間)。最後の薬剤暴露に続き、各グループの細胞を無薬剤培地で４８時間インキュベートする。
【手続補正３】
【補正対象書類名】明細書
【補正対象項目名】００５５
【補正方法】変更
【補正の内容】
【００５５】
実験３結果：
ゲラニルゲラニオールは、ＺＯＬの作用を逆転し得るメバロン酸経路の媒介物である。ＭＣＦ７細胞のＰＡＣ、続いてゲラニルゲラニオール(ＧＧＯＨ、５０μＭ)と組み合わせたＺＯＬでの処置は、アポトーシス細胞死の相乗的増加を、７０−８０％妨げる。これは、ＺＯＬが、ＭＣＦ７細胞のアポトーシスをＭＶＡ経路を介して誘導することを示す。
【手続補正書】
【提出日】平成20年7月11日(2008.7.11)
【手続補正１】
【補正対象書類名】明細書
【補正対象項目名】０２９６
【補正方法】変更
【補正の内容】
【０２９６】
本発明の薬剤組成物に使用される活性成分は、ＧｌｙｃｏＰＥＧ化された第ＩＸ因子、および、血液凝固カスケードに関与することの生物学的特性をもつその誘導体である。本発明のリポソームの分散液は、様々な形の血友病などの、凝固の低下や欠陥によって、特徴づけられる、凝固異常を治療する際の非経口的調合物にとって有用である。好ましくは、本発明の第ＩＸ因子組成物は、非経口的に（例えばＩＶ、ＩＭ、ＳＣ、またはＩＰ）投与される。有効な投薬量は、治療される状態および投与経路に応じてかなり変動することが予測されるが、体重１ｋｇにつき約０．１から０００μｇの活性物質の範囲であることが予測される。凝固異常の治療のための好ましい用量は、１週につき３回、約５０〜約３０００μｇ／ｋｇである。好ましくは、１週につき３回、約５００から約２０００μｇ／ｋｇである。より好ましくは、１週につき３回、約７５０から約１５００μｇ／ｋｇ、および好ましくは、１週につき３回、約１０００μｇ／ｋｇである。本発明は、ｉｎ  ｖｉｖｏでの滞留時間が向上された第ＩＸ因子を提供するので、本発明の組成物が投与される場合、所定の投薬量は任意選択で低下される。
【手続補正書】
【提出日】平成19年11月22日(2007.11.22)
【手続補正１】
【補正対象書類名】特許請求の範囲
【補正対象項目名】全文
【補正方法】変更
【補正の内容】
【特許請求の範囲】
【請求項１】
アポトーシスを誘発する状態から哺乳動物を保護するための組成物であって、該組成物は、
ＮＦκＢを誘導する因子
を含み、該組成物は、該保護を必要とする哺乳動物に投与するのに適していることを特徴とする、組成物。
【請求項２】
前記因子がフラジェリンおよびＴＧＦβからなる群より選択される、請求項１に記載の組成物。
【請求項３】
前記因子が潜在性ＴＧＦβである、請求項２に記載の組成物。
【請求項４】
前記状態が放射線への曝露である、請求項１に記載の組成物。
【請求項５】
前記組成物が、放射線防護剤と組み合わせて投与するのに適していることを特徴とする、請求項２に記載の組成物。
【請求項６】
前記放射線防護剤が、抗酸化剤である、請求項５に記載の組成物。
【請求項７】
前記抗酸化剤が、アミホスチンおよびビタミンＥからなる群より選択される、請求項６に記載の組成物。
【請求項８】
前記放射線防護剤が、サイトカインである、請求項５に記載の組成物。
【請求項９】
前記サイトカインが、幹細胞因子である、請求項８に記載の組成物。
【請求項１０】
前記状態が、癌処置である、請求項１に記載の組成物。
【請求項１１】
前記状態が、構成的に活性なＮＦ−κＢ癌である、請求項１に記載の組成物。
【請求項１２】
前記癌処置が、化学療法または放射線療法である、請求項１０に記載の組成物。
【請求項１３】
前記組成物が、前記状態の前の投与、前記状態と一緒の投与、または前記状態の後の投与に適していることを特徴とする、請求項１〜１２のうちのいずれか１項に記載の組成物。
【請求項１４】
前記状態が、細胞老化、放射線、創傷、中毒、感染および温度ショックからなる群より選択される、請求項１に記載の組成物。
【請求項１５】
請求項２〜１４のうちのいずれか１項に記載の組成物であって、前記フラジェリンが、フラジェリンに由来するＮ末端およびＣ末端のＤ１領域およびＤ２領域を含む、組成物。
【請求項１６】
アポトーシスのモジュレーターをスクリーニングするための方法であって、該方法は、
（ａ）疑わしいモジュレーターを、細胞ベースのアポトーシス系に添加する工程；
（ｂ）コントロールを、細胞ベースのアポトーシス系に別に添加する工程；および
（ｃ）工程（ａ）におけるアポトーシスのレベルと工程（ｂ）におけるアポトーシスのレベルとを比較する工程；
を包含し、該疑わしいモジュレーターは、哺乳動物寄生体に由来する、方法。
【請求項１７】
請求項１６に記載の方法であって、前記アポトーシスのモジュレーターがＮＦ−κＢのモジュレーターであり、前記細胞ベースのアポトーシス系が、ＮＦ−κＢで活性化された発現系であり、前記アポトーシスのレベルが、ＮＦ−κＢで活性化された発現のレベルである、方法。
【請求項１８】
請求項１６に記載の方法であって、前記寄生体は、Ｓａｌｍｏｎｅｌｌａ、Ｍｙｃｏｐｌａｓｍａ、およびＣｈｌａｍｙｄｉａからなる群より選択される種である、方法。
【請求項１９】
請求項１８に記載の方法によって同定された、モジュレーターおよびそのすべての誘導体。
【手続補正書】
【提出日】平成19年12月3日(2007.12.3)
【手続補正１】
【補正対象書類名】特許請求の範囲
【補正対象項目名】全文
【補正方法】変更
【補正の内容】
【特許請求の範囲】
【請求項１】
弱無機酸、無機物塩及び溶媒を含んでなる医薬組成物であって、無機酸として弱硝酸を用い、無機物塩として他の化合物との混合物中に50％以上の輝鉄鉱を含有するアンモニア合成触媒廃棄物残渣を用い、かつ溶媒として水とエチルアルコールを用い、該溶液がさらにクエン酸と芳香剤を含み、上記成分を以下の成分比（質量％）で含むことを特徴とする医薬組成物。
弱硝酸                            0.3〜10.0
アンモニア合成触媒廃棄物残渣      0.1〜5.0
クエン酸                          0.1〜2.0
エチルアルコール                  0.1〜5.0
芳香剤                            0.05〜0.1
水                                残り
【手続補正書】
【提出日】平成19年11月26日(2007.11.26)
【手続補正１】
【補正対象書類名】特許請求の範囲
【補正対象項目名】全文
【補正方法】変更
【補正の内容】
【特許請求の範囲】
【請求項１】
式１
【化１】
2007513197.tif 000001
［式中、Ｊは、Ｓ、ＳＯ、ＳＯ2、ＣＨ2、ＯまたはＮＲ10であり、ここで、Ｒ10は、水素、(Ｃ1−Ｃ6)アルキル、Ｃ(＝Ｏ)(Ｃ1−Ｃ6)アルキル、またはＣ(＝Ｏ)Ｏ−(Ｃ1−Ｃ6)アルキルであり；
Ｍは、ＣＨまたはＮであり；
Ｇは、ＣＨまたはＮであり；
ｍは、１〜６の整数であり；
Ｘは、ＯまたはＮＲ3であり、ここで、Ｒ3は、上記定義されたＲ10、Ｃ(＝Ｏ)、ＣＨＯＨ、ＣＨＯＲ3、ＣＨ(ハロ)またはＣＨＮＲ3Ｒ12として定義され、ここで、Ｒ12は、上記定義されたＲ10として定義され；
またはＸは存在せず；
Ｒ1は、水素、ハロゲン、シアノ、１〜３個のフッ素原子で場合により置換された(Ｃ1
−Ｃ6)アルキル、１〜３個のフッ素原子で場合により置換された(Ｃ1−Ｃ6)アルコキシであるか、またはＲ1は、Ｒ10と複素環式環を形成し；
Ｒ2は、Ｒ1として定義されるが、但し、Ｒ1が存在する場合、Ｒ2は複素環式環を形成することができず；
Ｒ4およびＲ5は、独立して、水素、ハロゲン、シアノ、アミノ−(Ｃ1−Ｃ6)アルキル、(Ｃ1−Ｃ6)アルキルアミノ−(Ｃ1−Ｃ6)アルキル、ジ(Ｃ1−Ｃ6)アルキルアミノ−(Ｃ1−Ｃ6)アルキル、ヒドロキシ(Ｃ1−Ｃ6)アルキル、(Ｃ1−Ｃ6)アルコキシまたは(Ｃ1−Ｃ6)アルコキシアルキルであり、ここで、該Ｒ4およびＲ5基のアルコキシおよびアルキル部分のそれぞれは、１〜３個のハロ原子、好ましくは１〜３個のフッ素原子で場合により置換されることができ；
Ｒ6、Ｒ7、Ｒ8およびＲ9は、独立して水素または１〜３個のフッ素原子で場合により置換された(Ｃ1−Ｃ6)アルキルであり；
Ｙは、Ｒ11が存在する場合、Ｏ、ＮＲ13から選ばれ、ここで、Ｒ13は、上記定義されたＲ10または(ＣＨ2)w（ここで、ｗは１〜６の整数である）として定義され；または
Ｙは、Ｒ11が存在しない場合、(＝Ｏ)、ヒドロキシ、ＮＲ13Ｒ14（ここで、Ｒ13およびＲ14は、上記定義されたＲ10として定義される）および(ＣＨ2)qＣＨ3（ここで、ｑは１〜５の整数である）から選ばれ；
ｎは１〜３の整数であり；
ｚは１〜３の整数であり；そして
Ｒ11は、水素、(Ｃ1−Ｃ6)アルキル、−ＳＯ2(Ｃ1−Ｃ6)アルキル、−ＳＯ2アリール、アリール、アリール−(Ｃ1−Ｃ6)アルキル、ヘテロアリール、ヘテロアリール−(Ｃ1−Ｃ6)アルキル、ヘテロシクリル、ヘテロシクリル−(Ｃ1−Ｃ4)アルキル、ＣＯＲ15、Ｃ(Ｏ)ＯＲ15またはＣ(Ｏ)ＮＲ15Ｒ16であり、ここで、Ｒ15およびＲ16は、(Ｃ1−Ｃ6)アルキル、アリール、ヘテロアリール、ヘテロアリール−(Ｃ1−Ｃ6)アルキル、アリール−(Ｃ1−Ｃ6)アルキル、ヘテロシクリルおよびヘテロシクリル−(Ｃ1−Ｃ6)アルキルから独立して選ばれ；
ここで、Ｒ11基内のアルキル部分は、１〜３個のフッ素原子で場合により置換されることができ、そして該Ｒ11基内のアリール、ヘテロアリールおよびヘテロシクリル部分は、１〜３個のフッ素原子で場合により置換された(Ｃ1−Ｃ6)アルキル、１〜３個のフッ素原子で場合により置換された(Ｃ1−Ｃ6)アルコキシ、シアノ、ニトロ、ハロ、アミノ、(Ｃ1−Ｃ6)アルキルアミノおよびジ−(Ｃ1−Ｃ6)アルキルアミノから独立して選ばれる１つまたはそれ以上の置換基、好ましくは０〜２個の置換基で場合により置換されることができ；または、
Ｒ11は存在せず；
但し、ｎ＋ｚの合計は、３を超えることができない］
の化合物およびこのような化合物の医薬上許容しうる塩。
【誤訳訂正書】
【提出日】平成20年7月29日(2008.7.29)
【誤訳訂正１】
【訂正対象書類名】明細書
【訂正対象項目名】００１２
【訂正方法】変更
【訂正の内容】
【００１２】
他の適当なシリコーンポリマーはポリジメチルシクロシロキサン（例えばシクロペンタシロキサン）、シクロペンタシロキサンとシクロヘキサシロキサンとの混合物（例えばＤＣ（登録商標）３４５）、シクロペンタシロキサンと高粘度のジメチコノール（例えばＤＣ（登録商標）１５０１）混合物、粘度が０．６５−６０，０００ｍｍ２Ｓのポリジメチルシロキサン（例えばＤＣ（登録商標）２００Ｆｌｕｉｄｓ）の混合物である。
【手続補正書】
【提出日】平成19年11月28日(2007.11.28)
【手続補正１】
【補正対象書類名】特許請求の範囲
【補正対象項目名】全文
【補正方法】変更
【補正の内容】
【特許請求の範囲】
【請求項１】
（ｉ）タゲテス油又はジヒドロタゲトン若しくはチオフェン類から選択されるその成分、又はサイム油又はチモール、カラクロール、シモール若しくはモノテルペノイドから選択されるその成分、又はこれらのいずれかの混合物であって、ここにおいて、存在するこのような油又は成分の総量が１０％ｗ／ｗを越えないもの；
（ii）農業的に許容される担体油；
（iii）乳化剤；及び場合により
（iv）ウインターグリーン油、
を含む農薬組成物であって、但し、（iv）が存在しないときは成分（ｉ）はタゲテス油及びサイム油の混合物を３：１〜１：３の比率で含む、上記農薬組成物。
【請求項２】
成分（ｉ）がタゲテス油、サイム油、又はそれらの混合物である請求項１に記載の農薬組成物。
【請求項３】
（ｉ）タゲテス油、サイム油、又はそれらの混合物；
（ii）農業的に許容される担体油；
（iii）乳化剤；及び
（iv）ウインターグリーン油、
を含む請求項１又は２に記載の農薬組成物。
【請求項４】
成分（ｉ）を５％ｗ／ｗより多くは含んでいない請求項１〜３のいずれか１項に記載の農薬組成物。
【請求項５】
成分（ｉ）を１.５％ｗ／ｗより多くは含んでいない請求項４に記載の農薬組成物。
【請求項６】
成分（ｉ）が、タゲテス油及びサイム油の混合物を３：１〜１：３の比率で含む請求項１〜５のいずれか１項に記載の農薬組成物。
【請求項７】
成分（ii）が、カノーラ油（ＯＳＲ）、ヒマワリ油、綿実油、ヤシ油又は大豆油から選
択される請求項１〜６のいずれか１項に記載の農薬組成物。
【請求項８】
乳化剤が、天然の有機乳化剤である請求項１〜７のいずれか１項に記載の農薬組成物。
【請求項９】
成分（iii）が、１〜２０％ｗ／ｗの量で存在する請求項１〜８のいずれか１項に記載の農薬組成物。
【請求項１０】
植物に施用するための、請求項１〜９のいずれか１項に記載の組成物、及び水を含む製剤。
【請求項１１】
請求項１〜９のいずれか１項に記載の組成物、又は請求項１０に記載の製剤を、害虫に、又はその生息場所に施用することを含む害虫を殺虫又は防除する方法。
【請求項１２】
組成物がウインターグリーン油を含み、その結果その処置が、殺虫及びウイルス病徴改善を併せ持った効果を提供する請求項１１に記載の方法。
【請求項１３】
組成物又は製剤を、他の殺虫剤又は殺ダニ剤と一緒に施用する請求項１１又は１２に記載の方法。
【請求項１４】
組成物を、ヘクタール当り５リットルより少ない量で作物に施用する請求項１１〜１３のいずれか１項に記載の方法。
【請求項１５】
組成物を、ヘクタール当り約２リットルの量で作物に施用する請求項１４に記載の方法。
【請求項１６】
殺虫及びウイルス病徴改善を併せ持った組成物としての請求項１〜９のいずれか１項に記載の組成物の使用。
【請求項１７】
殺虫剤又は殺ダニ剤のアジュバントとしての、請求項１〜９のいずれか１項に記載の組成物又は請求項１０に記載の製剤の使用。
【請求項１８】
ヘクタール当り５リットルより少ない割合で作物に施用する殺虫剤又は殺ダニ剤としての、請求項１〜９のいずれか１項に記載の組成物の使用。
【手続補正２】
【補正対象書類名】明細書
【補正対象項目名】０１０３
【補正方法】変更
【補正の内容】
【０１０３】
これらの結果から、実施例２の組成物は、１０００及び５０００mL／hLの比率の施用量において、治癒的噴霧として施用した場合、ジナメックよりも極めて良好なダニ卵の防除を示すことがわかった。保護試験においては、施用及び発生後７日目において、実施例２の組成物のみが、２００、１０００、及び５０００mL製品／hLの比率の施用量において、卵の孵化を減少させた(それぞれ、９４.７、４５.２及び３２.３％の卵孵化率)。ジナメックは、５０mL製品／hLの施用量において、卵孵化には効果を示さなかった。
【手続補正書】
【提出日】平成19年11月30日(2007.11.30)
【手続補正１】
【補正対象書類名】特許請求の範囲
【補正対象項目名】全文
【補正方法】変更
【補正の内容】
【特許請求の範囲】
【請求項１】
グルココルチコイド、非ステロイド系消炎薬、免疫抑制薬、または免疫療法薬を含む消炎成分；および
イミダゾナフチリジンアミン、テトラヒドロイミダゾナフチリジンアミン、オキサゾロキノリンアミン、チアゾロキノリンアミン、オキサゾロピリジンアミン、チアゾロピリジンアミン、オキサゾロナフチリジンアミン、またはチアゾロナフチリジンアミンを含むIRM成分；
を含む併用薬。
【請求項２】
TLR８選択的アゴニストを含むIRM成分；および
消炎化合物を含む消炎成分；
を含む併用薬。
【請求項３】
IRM化合物で治療可能な状態を治療するための、IRM化合物及び消炎化合物を含む併用薬であって、ここで、
（ａ）前記ＩＲＭ化合物が前記状態を治療するのに有効であり；かつ
（ｂ）前記消炎化合物が前記ＩＲＭ化合物投与の副作用を制限するのに有効である、
前記併用薬。
【請求項４】
TLR8選択的アゴニストであるIRM化合物で治療可能な状態を治療するための、TLR8選択的アゴニストであるIRM化合物及び消炎化合物を含む併用薬であって、ここで、
（ａ）前記TLR8選択的アゴニストであるIRM化合物が前記状態を治療するのに有効であり；かつ
（ｂ）前記消炎化合物が、前記TLR8選択的アゴニストであるIRM化合物投与の副作用を制限するのに有効である、
前記併用薬。
【請求項５】
消炎化合物で治療可能な状態を治療するための、ＩＲＭ化合物を含む医薬組成物であって、ここで、前記医薬組成物が前記消炎化合物により引き起こされる免疫抑制を制限するように設計されている、前記医薬組成物。
【請求項６】
消炎化合物で治療可能な状態を治療するための、ＩＲＭ化合物及び消炎化合物を含む併用薬であって、ここで、
前記消炎化合物が前記状態を治療するのに有効であり、かつ
前記ＩＲＭ化合物が免疫抑制を制限するのに有効である、
前記併用薬。